(57)【要約】【課題】被撮影者にシャッターを切ったことを知らせるシャッター音が鳴音した時に限り撮像を許可することを可能とする撮像機能制御装置およびその制御方法を提供する。【解決手段】シャッターボタン１５を操作すると、制御部２はシャッター音をスピーカ１０から出力し、撮像部７は撮像準備を開始し、マイク１１は外部の音声を収録し、シャッター音比較部１３はマイク１１が収録した音声を音声信号と、鳴音用メモリ９に記憶保持されているシャッター音の鳴音データとを比較する。その比較結果が不一致である場合、撮像制御部１４は制御部２に撮像禁止の通知を出力し、制御部２は撮像準備が完了している撮像部７に撮像処理の禁止の通知を出力し、撮像部７は撮像処理の禁止の通知を入力すると、撮像処理を行わない。【選択図】図１
2005079651.tif 000002
【特許請求の範囲】
【請求項１】
撮像手段による所望の被写体の撮像に際して鳴音を出力する鳴音出力手段を有する撮像機能制御装置において、
前記撮像手段により取得した画像データを記憶保持する画像データ記憶手段と、
前記鳴音出力手段から出力された鳴音を取得する鳴音取得手段と、
前記鳴音出力手段から出力される鳴音のデータを予め記憶保持する鳴音記憶手段と、
前記撮像手段による撮像に際して前記鳴音取得手段で取得した鳴音のデータと前記鳴音記憶手段に記憶保持されている鳴音のデータとを比較照合する鳴音比較手段と、
前記鳴音比較手段による比較照合の結果に基づき、前記撮像手段の制御若しくは前記画像データの前記画像データ記憶手段への記憶保持の制御を行う制御手段と
を具備することを特徴とする撮像機能制御装置。
【請求項２】
前記制御手段は、
前記鳴音比較手段による比較照合の結果が不一致である場合、前記撮像手段に対して撮像を禁止し、
前記鳴音比較手段による比較照合の結果が一致である場合、前記撮像手段に対して撮像を許可する
ことを特徴とする請求項１記載の撮像機能制御装置。
【請求項３】
前記制御手段は、
前記鳴音比較手段による比較照合の結果が不一致である場合、前記画像データの前記画像データ記憶手段への記憶保持を禁止し、
前記鳴音比較手段による比較照合の結果が一致である場合、前記画像データの前記画像データ記憶手段への記憶保持を許可する
ことを特徴とする請求項１記載の撮像機能制御装置。
【請求項４】
前記制御手段は、
前記鳴音比較手段による比較照合の結果が不一致である場合、前記画像データ記憶手段に記憶保持された画像データを無効化し、
前記鳴音比較手段による比較照合の結果が一致である場合、前記画像データ記憶手段に記憶保持された画像データを有効化する
ことを特徴とする請求項１記載の撮像機能制御装置。
【請求項５】
撮像手段による所望の被写体の撮像に際して鳴音出力手段から鳴音を出力する撮像機能制御装置の制御方法において、
前記撮像手段による撮像に際して前記鳴音出力手段から出力された鳴音を鳴音取得手段により取得し、
前記鳴音取得手段で取得した鳴音のデータと前記鳴音出力手段から出力される鳴音のデータとを鳴音比較手段により比較照合し、
前記鳴音比較手段による比較照合の結果に基づき、前記撮像手段の制御若しくは前記撮像手段により取得した画像データの記憶保持の制御を行う
ことを特徴とする撮像機能制御装置の制御方法。
【請求項６】
前記撮像手段の制御は、
前記比較照合の結果が不一致である場合、前記撮像手段による撮像を禁止し、
前記比較照合の結果が一致である場合、前記撮像手段による撮像を許可する
ことを特徴とする請求項５記載の撮像機能制御装置の制御方法。
【請求項７】
前記画像データの記憶保持の制御は、
前記比較照合の結果が不一致である場合、前記画像データの記憶保持を禁止し、
前記比較照合の結果が一致である場合、前記画像データの記憶保持を許可する
ことを特徴とする請求項５記載の撮像機能制御装置の制御方法。
【請求項８】
前記画像データの記憶保持の制御は、
前記比較照合の結果が不一致である場合、前記画像データを無効化し、
前記比較照合の結果が一致である場合、前記画像データを有効化する
ことを特徴とする請求項５記載の撮像機能制御装置の制御方法。
【発明の詳細な説明】
【技術分野】
【０００１】
本発明は、撮像機能制御装置およびその制御方法に関し、特に、携帯端末、デジタルカメラおよびビデオカメラが有する撮像機能を制御する撮像機能制御装置およびその制御方法に関する。
【背景技術】
【０００２】
近年、カメラ機能を搭載した携帯電話が急速に普及している。このようなカメラ機能付き携帯電話では、通常のカメラと同様に、シャッターボタンを押下操作するだけで、容易に撮像対象物の画像を撮像することができる。
【０００３】
しかしながら、このように気軽に画像を撮像できることで、カメラ機能付き携帯電話を悪意で使用する携帯電話ユーザが現れ、盗撮等の被害が増えてきている。
【０００４】
そこで、このような盗撮等の被害を防止するために、例えば、携帯端末本体が不自然な角度に傾けられた場合に撮像を禁止する携帯端末がある（例えば、特許文献１参照。）。
【０００５】
また、カメラ付き携帯電話のシャッターボタンの押下操作に応じてシャッター音の鳴音処理を行うことで、被撮影者に気付かれずに盗撮等を行うことが困難になり、被写体のプライバシーをある程度守ることができる開閉式通信端末装置がある（例えば、特許文献２参照。）。
【特許文献１】特開２００２−２９０８１８号公報
【特許文献２】特開２００３−１９８８９２号公報
【発明の開示】
【発明が解決しようとする課題】
【０００６】
しかし、従来のカメラ付き携帯電話では、シャッター音が鳴音するスピーカー部分を紙等でふさぐことで、または電気的にスピーカー部分を無効にすることで、容易にシャッター音を防音し、被撮影者に気付かれずに盗撮等を行うことができてしまう問題がある。
【０００７】
そこで、本発明は、被撮影者にシャッターを切ったことを知らせるシャッター音が鳴音した時に限り撮像を許可することを可能とする撮像機能制御装置およびその制御方法を提供することを目的とする。
【課題を解決するための手段】
【０００８】
上記目的を達成するため、請求項１の発明は、撮像手段による所望の被写体の撮像に際して鳴音を出力する鳴音出力手段を有する撮像機能制御装置において、前記撮像手段により取得した画像データを記憶保持する画像データ記憶手段と、前記鳴音出力手段から出力された鳴音を取得する鳴音取得手段と、前記鳴音出力手段から出力される鳴音のデータを予め記憶保持する鳴音記憶手段と、前記撮像手段による撮像に際して前記鳴音取得手段で取得した鳴音のデータと前記鳴音記憶手段に記憶保持されている鳴音のデータとを比較照合する鳴音比較手段と、前記鳴音比較手段による比較照合の結果に基づき、前記撮像手段の制御若しくは前記画像データの前記画像データ記憶手段への記憶保持の制御を行う制御手段とを具備することを特徴とする。
【０００９】
なお、画像データ記憶手段は図１に示す画像用メモリに対応し、鳴音取得手段は図１に示すマイクに対応し、鳴音記憶手段は図１に示す鳴音用メモリに対応し、鳴音比較手段は図１に示すシャッター音比較部に対応し、制御手段は図１に示す撮像制御部に対応する。
【００１０】
また、請求項２の発明は、請求項１の発明において、前記制御手段は、前記鳴音比較手段による比較照合の結果が不一致である場合、前記撮像手段に対して撮像を禁止し、前記鳴音比較手段による比較照合の結果が一致である場合、前記撮像手段に対して撮像を許可することを特徴とする。
【００１１】
また、請求項３の発明は、請求項１の発明において、前記制御手段は、前記鳴音比較手段による比較照合の結果が不一致である場合、前記画像データの前記画像データ記憶手段への記憶保持を禁止し、前記鳴音比較手段による比較照合の結果が一致である場合、前記画像データの前記画像データ記憶手段への記憶保持を許可することを特徴とする。
【００１２】
また、請求項４の発明は、請求項１の発明において、前記制御手段は、前記鳴音比較手段による比較照合の結果が不一致である場合、前記画像データ記憶手段に記憶保持された画像データを無効化し、前記鳴音比較手段による比較照合の結果が一致である場合、前記画像データ記憶手段に記憶保持された画像データを有効化することを特徴とする。
【００１３】
また、請求項５の発明は、撮像手段による所望の被写体の撮像に際して鳴音出力手段から鳴音を出力する撮像機能制御装置の制御方法において、前記撮像手段による撮像に際して前記鳴音出力手段から出力された鳴音を鳴音取得手段により取得し、前記鳴音取得手段で取得した鳴音のデータと前記鳴音出力手段から出力される鳴音のデータとを鳴音比較手段により比較照合し、前記鳴音比較手段による比較照合の結果に基づき、前記撮像手段の制御若しくは前記撮像手段により取得した画像データの記憶保持の制御を行うことを特徴とする。
【００１４】
また、請求項６の発明は、請求項５の発明において、前記撮像手段の制御は、前記比較照合の結果が不一致である場合、前記撮像手段による撮像を禁止し、前記比較照合の結果が一致である場合、前記撮像手段による撮像を許可することを特徴とする。
【００１５】
また、請求項７の発明は、請求項５の発明において、前記画像データの記憶保持の制御は、前記比較照合の結果が不一致である場合、前記画像データの記憶保持を禁止し、前記比較照合の結果が一致である場合、前記画像データの記憶保持を許可することを特徴とする。
【００１６】
また、請求項８の発明は、請求項５の発明において、前記画像データの記憶保持の制御は、前記比較照合の結果が不一致である場合、前記画像データを無効化し、前記比較照合の結果が一致である場合、前記画像データを有効化することを特徴とする。
【発明の効果】
【００１７】
本発明によれば、被撮影者にシャッターを切ったことを知らせるシャッター音が鳴音したか否かを確認し、シャッター音を確認できなかった場合は撮像を禁止するように制御することで、盗撮等を防止することが可能になるという効果を奏する。
【発明を実施するための最良の形態】
【００１８】
以下、本発明に係わる撮像機能制御装置およびその制御方法の実施の形態について添付図面を参照して詳細に説明する。なお、本発明に係わる撮像機能制御装置の一例としてカメラ機能付き携帯電話機を実施例として説明する。
【００１９】
図１は、携帯電話機１の構成の一例を示すブロック図である。
【００２０】
図１に示すように、携帯電話機１は、制御部２、電話部３、アンテナ４、表示部５、操作部６、撮像部７、画像用メモリ８、鳴音用メモリ９、スピーカ１０、マイク１１、撮像機能制御部１２から構成されている。
【００２１】
ここで、携帯電話機１の各構成部の機能について詳細に説明する。
【００２２】
制御部２は、ＣＰＵ（Central Processing Unit）等により構成され、カメラ機能付き携帯電話機用の制御プログラムに従って各構成部の制御動作を行う。
【００２３】
電話部３は、電話回線（無線）を介した通話および通信を行う。ここで、通話時には、マイク１１から入力された音声は電話部３で音声処理を施され、所定の周波数の電波に重畳されてアンテナ４から図示しない基地局へ送信され、一方、基地局から受信する電波はアンテナ４を介して電話部３に入力され、電話部３は入力した電波から所定の信号を抽出し、抽出した信号を復調して音声化し、スピーカ１０から出力する。
【００２４】
表示部５は、ＬＣＤ（Liquid Crystal Display）等により構成され、制御部２により入力された表示信号に従って、所要の画面表示を行う。また、表示部５は、撮影モードにおいては、撮像部７により取り込まれた画像を連続的に表示するファインダとしての機能を有する。
【００２５】
操作部６は、シャッターボタン、撮影モード（静止画、連写、動画等）を指定するためのモードキー、テンキー、各種ファンクションキーを有し、それらのボタン操作、キー操作による押下信号を制御部２に出力する。
【００２６】
撮像部７は、ガラス若しくはプラスチックからなる光学レンズおよびＣＣＤ（Charged Coupled Device）等の光学センサにより構成され、光学レンズを介して入力される画像を光学センサで電気信号に変換し、図示しないＡ／Ｄ変換回路で電気信号を画像データに変換する。
【００２７】
画像用メモリ８は、制御部２からの制御信号に従って、撮像部７が取り込んだ画像データを記憶保持する。
【００２８】
鳴音用メモリ９は、シャッターボタン操作時のシャッター音、操作部６を構成する各キーやボタンの操作音（キャンセル音、キータッチ音）、着信メロディ等の鳴音データを記憶保持している。
【００２９】
スピーカ１０は、制御部２からの制御信号に従って、鳴音用メモリ９に記憶保持されている鳴音データを音声信号に変換して外部に出力する。
【００３０】
マイク１１は、通話時の音声または外部の音を収録する。
【００３１】
撮像機能制御部１２は、シャッター音比較部１３、撮像制御部１４から構成されている。
【００３２】
ここで、撮像機能制御部１２の各構成部の機能について詳細に説明する。
【００３３】
シャッター音比較部１３は、制御部２からの制御信号に従って、シャッターボタンが操作された際にマイク１１が収録した音と、鳴音用メモリ９に記憶保持されているシャッター音の鳴音データとを比較する。
【００３４】
撮像制御部１４は、シャッター音比較部１３による比較結果に基づいて撮像部７の動作を制御する。
【００３５】
図２は、携帯電話機１の機能的な動作を示すブロック図である。
【００３６】
ここで、携帯電話機１が撮像を行う際の機能的な動作について、図２を参照して説明する。
【００３７】
携帯電話機１のユーザが操作部６のシャッターボタン１５を操作すると、操作部６はシャッターボタン１５操作の通知を制御部２に出力し、制御部２はシャッターボタン１５操作の通知を入力すると、撮像部７に撮像準備の指示を出力し、鳴音用メモリ９に記憶保持されているシャッター音をスピーカ１０から出力し、シャッター音比較部１３にシャッター音が出力した通知を出力する。
【００３８】
そして、撮像部７は撮像準備の指示を入力すると、撮像準備を開始し、マイク１１は外部の音声を収録し、シャッター音比較部１３はシャッター音が出力した通知を入力すると、マイク１１が収録した音声を音声信号として取得するとともに、鳴音用メモリ９に記憶保持されているシャッター音の鳴音データを読み出し、音声信号とシャッター音の鳴音データとを比較する。
【００３９】
シャッター音比較部１３が、マイク１１が収録した音声信号と、鳴音用メモリ９に記憶保持されているシャッター音の鳴音データとが不一致であると解析した場合、シャッター音比較部１３は撮像制御部１４に不一致の通知を出力し、撮像制御部１４は不一致の通知を入力すると、制御部２に撮像禁止の通知を出力し、制御部２は撮像禁止の通知を入力すると、撮像準備が完了している撮像部７に撮像処理の禁止の通知を出力し、撮像部７は撮像処理の禁止の通知を入力すると、撮像処理を行わない。
【００４０】
また、シャッター音比較部１３が、マイク１１が収録した音声信号と、鳴音用メモリ９に記憶保持されているシャッター音の鳴音データとが一致すると解析した場合、シャッター音比較部１３は撮像制御部１４に一致の通知を出力し、撮像制御部１４は一致の通知を入力すると、制御部２に撮像許可の通知を出力し、制御部２は撮像許可の通知を入力すると、撮像準備が完了している撮像部７に撮像処理の実施の通知を出力し、撮像部７は撮像処理の実施の通知を入力すると、撮像処理を行い、撮像処理において取得した画像データを画像用メモリ８に記憶保持する。
【００４１】
なお、上記実施例では、マイク１１が収録した音声信号と、鳴音用メモリ９に記憶保持されているシャッター音の鳴音データとの比較結果により、撮像部７の撮像処理を許可するか否か制御する動作を説明してきたが、シャッターボタン１５を操作すると同時に撮像部７は撮像処理を行い、音声信号とシャッター音の鳴音データとの比較結果により、撮像処理において取得した画像データの画像用メモリ８への転送を許可するか否か制御する動作でも適用可能である。
【００４２】
次に、マイク１１が収録した音声信号と、鳴音用メモリ９に記憶保持されているシャッター音の鳴音データとの比較結果により、撮像処理において取得した画像データの画像用メモリ８への転送を許可するか否か制御する場合の携帯電話機１の機能的な動作について、図２を参照して説明する。
【００４３】
携帯電話機１のユーザが操作部６のシャッターボタン１５を操作すると、操作部６はシャッターボタン１５操作の通知を制御部２に出力し、制御部２はシャッターボタン１５操作の通知を入力すると、撮像部７に撮像の指示を出力し、鳴音用メモリ９に記憶保持されているシャッター音をスピーカ１０から出力し、シャッター音比較部１３にシャッター音が出力した通知を出力する。
【００４４】
そして、撮像部７は撮像の指示を入力すると、撮像処理を行い、撮像処理において取得した画像データを一時記憶保持し、マイク１１は外部の音声を収録し、シャッター音比較部１３はシャッター音が出力した通知を入力すると、マイク１１が収録した音声を音声信号として取得するとともに、鳴音用メモリ９に記憶保持されているシャッター音の鳴音データを読み出し、音声信号とシャッター音の鳴音データとを比較する。
【００４５】
シャッター音比較部１３が、マイク１１が収録した音声信号と、鳴音用メモリ９に記憶保持されているシャッター音の鳴音データとが不一致であると解析した場合、シャッター音比較部１３は撮像制御部１４に不一致の通知を出力し、撮像制御部１４は不一致の通知を入力すると、制御部２に画像用メモリ８への画像データ転送禁止の通知を出力し、制御部２は画像用メモリ８への画像データ転送禁止の通知を入力すると、撮像部７に画像用メモリ８への画像データ転送禁止の通知を出力し、撮像部７は画像用メモリ８への画像データ転送禁止の通知を入力すると、撮像処理において取得した画像データを画像用メモリ８に転送せずに消去する。
【００４６】
また、シャッター音比較部１３がマイク１１が収録した音声信号と、鳴音用メモリ９に記憶保持されているシャッター音の鳴音データとが一致すると解析した場合、シャッター音比較部１３は撮像制御部１４に一致の通知を出力し、撮像制御部１４は一致の通知を入力すると、制御部２に画像用メモリ８への画像データ転送許可の通知を出力し、制御部２は画像用メモリ８への画像データ転送許可の通知を入力すると、撮像部７に画像用メモリ８への画像データ転送許可の通知を出力し、撮像部７は画像用メモリ８への画像データ転送許可の通知を入力すると、撮像処理において取得した画像データを画像用メモリ８に記憶保持する。
【００４７】
なお、上記実施例では、シャッターボタン１５を操作すると同時に撮像部７は撮像処理を行い、マイク１１が収録した音声信号と、鳴音用メモリ９に記憶保持されているシャッター音の鳴音データとの比較結果により、撮像処理において取得した画像データの画像用メモリ８への転送を許可するか否か制御する動作を説明してきたが、シャッターボタン１５を操作すると同時に撮像部７は撮像処理を行い、撮像処理において取得した画像データを画像用メモリ８に記憶保持し、音声信号とシャッター音の鳴音データとの比較結果により、画像用メモリ８に記憶保持した画像データを有効にするか否か制御する動作でも適用可能である。
【００４８】
次に、マイク１１が収録した音声信号と、鳴音用メモリ９に記憶保持されているシャッター音の鳴音データとの比較結果により、画像用メモリ８に記憶保持した撮像処理において取得した画像データを有効にするか否か制御する場合の携帯電話機１の機能的な動作について、図２を参照して説明する。
【００４９】
携帯電話機１のユーザが操作部６のシャッターボタン１５を操作すると、操作部６はシャッターボタン１５操作の通知を制御部２に出力し、制御部２はシャッターボタン１５操作の通知を入力すると、撮像部７に撮像の指示を出力し、鳴音用メモリ９に記憶保持されているシャッター音をスピーカ１０から出力し、シャッター音比較部１３にシャッター音が出力した通知を出力する。
【００５０】
そして、撮像部７は撮像の指示を入力すると、撮像処理を行い、撮像処理において取得した画像データを画像用メモリ８に記憶保持し、マイク１１は外部の音声を収録し、シャッター音比較部１３はシャッター音が出力した通知を入力すると、マイク１１が収録した音声を音声信号として取得するとともに、鳴音用メモリ９に記憶保持されているシャッター音の鳴音データを読み出し、音声信号とシャッター音の鳴音データとを比較する。
【００５１】
シャッター音比較部１３がマイク１１が収録した音声信号と、鳴音用メモリ９に記憶保持されているシャッター音の鳴音データとが不一致であると解析した場合、シャッター音比較部１３は撮像制御部１４に不一致の通知を出力し、撮像制御部１４は不一致の通知を入力すると、制御部２に画像用メモリ８に記憶保持した画像データの無効化の通知を出力し、制御部２は画像用メモリ８に記憶保持した画像データの無効化の通知を入力すると、画像用メモリ８に記憶保持した画像データを無効にする。
【００５２】
ここで、画像データの無効化とは、ディジタル処理（例えば、モザイク処理、２値化処理等）により画像データを無効にしてしまうことである。
【００５３】
また、シャッター音比較部１３がマイク１１が収録した音声信号と、鳴音用メモリ９に記憶保持されているシャッター音の鳴音データとが一致すると解析した場合、シャッター音比較部１３は撮像制御部１４に一致の通知を出力し、撮像制御部１４は一致の通知を入力すると、制御部２に画像用メモリ８に記憶保持した画像データの有効化の通知を出力し、制御部２は画像用メモリ８に記憶保持した画像データの有効化の通知を入力すると、画像用メモリ８に記憶保持した画像データを有効にする。
【００５４】
次に、マイク１１が収録した音声信号とシャッター音の鳴音データとの比較結果により、撮像部７の撮像処理を許可するか否か制御する処理手順について図３に示すフローチャートを参照して説明する。
【００５５】
シャッターボタンが押下されると（ステップＳ３０１でＹＥＳ）、制御部がシャッター音の鳴音処理を行い（ステップＳ３０２）、マイクが携帯電話機外部の音声等を収録し（ステップＳ３０３）、鳴音比較部がマイクの収録音と予め記憶しているシャッター音とを比較する（ステップＳ３０４）。
【００５６】
マイクの収録音と予め記憶しているシャッター音とが一致する場合（ステップＳ３０５でＹＥＳ）、撮像部による撮像を許可し（ステップＳ３０６）、撮像部が撮像処理を行い（ステップＳ３０７）、処理手順を終了する。
【００５７】
なお、ステップＳ３０５において、マイクの収録音と予め記憶しているシャッター音とが一致しない場合（ステップＳ３０５でＮＯ）、撮像部による撮像を禁止し（ステップＳ３０８）、処理手順を終了する。
【００５８】
次に、マイク１１が収録した音声信号とシャッター音の鳴音データとの比較結果により撮像処理において取得した画像データの画像用メモリ８への転送を許可するか否か制御する処理手順について図４に示すフローチャートを参照して説明する。
【００５９】
シャッターボタンが押下されると（ステップＳ４０１でＹＥＳ）、制御部がシャッター音の鳴音処理を行い（ステップＳ４０２）、マイクが携帯電話機外部の音声等を収録し（ステップＳ４０３）、撮像部が撮像処理を行い（ステップＳ４０４）、撮像処理により取得した画像データを一時記憶保持し（ステップＳ４０５）、鳴音比較部がマイクの収録音と予め記憶しているシャッター音とを比較する（ステップＳ４０６）。
【００６０】
マイクの収録音と予め記憶しているシャッター音とが一致する場合（ステップＳ４０７でＹＥＳ）、一時記憶保持されている画像データの画像用メモリへの転送を許可し（ステップＳ４０８）、撮像部が画像データを画像用メモリへ転送し（ステップＳ４０９）、処理手順を終了する。
【００６１】
なお、ステップＳ４０７において、マイクの収録音と予め記憶しているシャッター音とが一致しない場合（ステップＳ４０７でＮＯ）、一時記憶保持されている画像データの画像用メモリへの転送を禁止し（ステップＳ４１０）、処理手順を終了する。
【００６２】
次に、マイク１１が収録した音声信号とシャッター音の鳴音データとの比較結果により画像用メモリ８に記憶保持した撮像処理において取得した画像データを有効にするか否か制御する処理手順について図５に示すフローチャートを参照して説明する。
【００６３】
シャッターボタンが押下されると（ステップＳ５０１でＹＥＳ）、制御部がシャッター音の鳴音処理を行い（ステップＳ５０２）、マイクが携帯電話機外部の音声等を収録し（ステップＳ５０３）、撮像部が撮像処理を行い（ステップＳ５０４）、撮像処理により取得した画像データを画像用メモリへ転送し（ステップＳ５０５）、鳴音比較部がマイクの収録音と予め記憶しているシャッター音とを比較する（ステップＳ５０６）。
【００６４】
マイクの収録音と予め記憶しているシャッター音とが一致する場合（ステップＳ５０７でＹＥＳ）、画像用メモリに転送された画像データを有効化し（ステップＳ５０８）、処理手順を終了する。
【００６５】
なお、ステップＳ５０７において、マイクの収録音と予め記憶しているシャッター音とが一致しない場合（ステップＳ５０７でＮＯ）、画像用メモリに転送された画像データを無効化し（ステップＳ５０９）、処理手順を終了する。
【００６６】
次に、マイク１１が収録した音声信号とシャッター音の鳴音データとの比較結果により、撮像禁止、画像用メモリ８への画像データの転送禁止および画像データが無効化になった際の具体例を説明する。
【００６７】
図６は、マイク１１が収録した音声信号とシャッター音の鳴音データとの比較結果により、撮像禁止、画像用メモリ８への画像データの転送禁止および画像データが無効化になった際の表示部５の表示例を示す図である。
【００６８】
図６（ａ）は、マイク１１が収録した音声信号と、鳴音用メモリ９に記憶保持されているシャッター音の鳴音データとの比較結果により、撮像禁止若しくは画像用メモリ８への画像データの転送禁止になった際の表示部５の表示例である。
【００６９】
図６（ａ）に示すように、表示部５には撮像禁止若しくは画像用メモリ８への画像データの転送禁止になった旨を示すための「撮影できませんでした」というメッセージが表示される。
【００７０】
図６（ｂ）および図６（ｃ）は、マイク１１が収録した音声信号と、鳴音用メモリ９に記憶保持されているシャッター音の鳴音データとの比較結果により、画像データが無効化になった際の表示部５の表示例である。
【００７１】
図６（ｂ）に示すように、「イメージ１」と「イメージ３」とは正常に撮像処理が行われたことにより取得した画像データを示し、「イメージ２」は比較結果により画像データが無効化になった画像データを示す。ここで、「イメージ２」の画像データを選択すると、図６（ｃ）に示すように、表示部５には無効化された画像データが表示される。
【００７２】
なお、上記実施例では、マイク１１が収録した音声信号と、鳴音用メモリ９に記憶保持されているシャッター音の鳴音データとの比較結果に基づいて撮像部７による撮像処理の制御を行う構成について説明してきたが、スピーカ１０がシャッター音を出力する際のスピーカ１０の振動の有無に基づいて撮像部７による撮像処理の制御を行う構成でも適用可能である。
【００７３】
また、上記実施例では、本発明に係わる撮像機能制御装置としてカメラ機能付き携帯電話機の撮像機能の制御を行う構成を一例にして説明してきたが、本発明に係わる撮像機能制御装置は撮像機能を有する装置（例えば、デジタルカメラ、ビデオカメラ等）であれば適用可能である。
【図面の簡単な説明】
【００７４】
【図１】携帯電話機１の構成の一例を示すブロック図である。
【図２】携帯電話機１の機能的な動作を示すブロック図である。
【図３】マイク１１が収録した音声信号とシャッター音の鳴音データとの比較結果により、撮像部７の撮像処理を許可するか否か制御する処理手順を示すフローチャートである。
【図４】マイク１１が収録した音声信号とシャッター音の鳴音データとの比較結果により撮像処理において取得した画像データの画像用メモリ８への転送を許可するか否か制御する処理手順を示すフローチャートである。
【図５】マイク１１が収録した音声信号とシャッター音の鳴音データとの比較結果により画像用メモリ８に記憶保持した撮像処理において取得した画像データを有効にするか否か制御する処理手順を示すフローチャートである。
【図６】マイク１１が収録した音声信号とシャッター音の鳴音データとの比較結果により、撮像禁止、画像用メモリ８への画像データの転送禁止および画像データが無効化になった際の表示部５の表示例を示す図である。
【符号の説明】
【００７５】
１    携帯電話機
２    制御部
３    電話部
４    アンテナ
５    表示部
６    操作部
７    撮像部
８    画像用メモリ
９    鳴音用メモリ
１０    スピーカ
１１    マイク
１２    撮像機能制御部
１３    シャッター音比較部
１４    撮像制御部
１５    シャッターボタン
【図１】
2005079651.tif 000003
【図２】
2005079651.tif 000004
【図３】
2005079651.tif 000005
【図４】
2005079651.tif 000006
【図５】
2005079651.tif 000007
【図６】
2005079651.tif 000008